(57)【要約】【課題】  簡易な構成で種々のページサイズに応じて適切な色のトンボマーク、カラーパッチ等の文書の付加情報を付加できる画像処理装置、画像処理方法及び画像処理プログラムを提供する。【解決手段】  領域分割部１４は、分版された各画像データを取得すると、各版の画像データについて、裁ち切り線２８の内外の領域を分割し、判別部１８は、上記裁ち切り線２８の内側領域の画像データの有無を確認する。Ｋ版以外の版について、上記裁ち切り線２８の内側領域に画像データが無い場合には、付加情報形成部１６が、Ｋ版のみについて裁ち切り線２８の外側領域の所定位置に、Ｋのトンボマークを形成する。一方、Ｋ版以外の版について、裁ち切り線２８の内側領域に画像データが有る場合には、付加情報形成部１６が、Ｃ、Ｍ、Ｙの版についても裁ち切り線２８の外側領域の所定位置に付加情報としてＫのトンボマークを形成する。【選択図】        図１
2006352802.tif 000002
【特許請求の範囲】
【請求項１】
トンボマーク、カラーパッチ等の文書の付加情報を画像データに付加する画像処理装置であって、
前記画像データを、裁ち切り線の内外の領域に分割する領域分割手段と、
前記画像データを分版出力する際に、前記裁ち切り線外領域の所定位置に、付加情報を選択的に形成する付加情報形成手段と、
を備えることを特徴とする画像処理装置。
【請求項２】
請求項１記載の画像処理装置が、さらに前記裁ち切り線内領域の画像データの有無を判別する判別手段を備え、
前記付加情報形成手段は、前記判別手段の判別結果に基づいて付加情報の色を決定することを特徴とする画像処理装置。
【請求項３】
請求項２記載の画像処理装置において、前記判別手段が前記裁ち切り線内領域に黒色のみの画像データが含まれていると判断した場合に、前記付加情報形成手段は、付加情報を黒色で形成することを特徴とする画像処理装置。
【請求項４】
請求項２記載の画像処理装置において、前記付加情報形成手段は、前記判別手段が判別した前記裁ち切り線内領域の画像データの色と同色の付加情報を形成することを特徴とする画像処理装置。
【請求項５】
トンボマーク、カラーパッチ等の文書の付加情報を画像データに付加する画像処理方法であって、
前記画像データを、裁ち切り線の内外の領域に分割するステップと、
前記画像データを分版出力する際に、前記裁ち切り線外領域の所定位置に、付加情報を選択的に形成するステップと、
を備えることを特徴とする画像処理方法。
【請求項６】
トンボマーク、カラーパッチ等の文書の付加情報を画像データに付加する画像処理装置の制御用プログラムであって、
前記画像データを、裁ち切り線の内外の領域に分割し、
前記画像データを分版出力する際に、前記裁ち切り線外領域の所定位置に、付加情報を選択的に形成する処理をコンピュータに実行させることを特徴とするプログラム。
【発明の詳細な説明】
【技術分野】
【０００１】
本発明は、トンボマーク、カラーパッチ等の文書の付加情報を画像データに付加する画像処理装置、画像処理方法及び画像処理プログラムの改良に関する。
【背景技術】
【０００２】
従来より、印刷出力画像を断裁する際の位置基準として、またはカラー印刷時の分版出力画像の位置基準として、いわゆるトンボマークといわれる付加情報が文書に描画される場合がある。また、カラー印刷においては、使用する色の基準となるカラーパッチが付加情報として描画される場合もある。
【０００３】
ところが、一般的なオフィスアプリケーションには、上記トンボマーク、カラーパッチ等の文書の付加情報を画像データに付加する機能がないので、プリンタ側においてこれらの付加情報を描画、形成する必要があった。
【０００４】
このため、例えば下記特許文献１には、トンボマーク付きの画像を出力する装置が開示されている。
【特許文献１】特開平９−１４９１７１号公報
【発明の開示】
【発明が解決しようとする課題】
【０００５】
しかし、上記従来の技術は、トンボマークを黒色で印刷する技術に関するものであり、トンボマークをＣＭＹＫ（シアン、マゼンタ、イエロウ、ブラック）の４色で描画するカラープリンタ等には直接適用できないという問題があった。
【０００６】
また、従来よりカラープリンタにおいては、出力速度の調整等のために、文書が白黒かカラーかを判別してプリント出力を行うが、トンボマークを上記４色で描画する場合には、白黒画像をカラー画像と判別してしまうという問題があった。この不都合を回避するためにトンボマークを黒色で描画すると、カラー画像を分版出力する際に、Ｃ、Ｍ、Ｙの版にトンボマークが描画されなくなるという問題があった。
【０００７】
さらに、適切な色のトンボマークを描画するために、画像の白黒判定を行った後にトンボマークを描画することも考えられる。しかし、白黒判定は画像データのラスタライジング後に行われるので、トンボマークもラスターデータとして付加することになる。このため、ページサイズ毎にトンボマークのラスターデータを保持しておく必要があるが、ページサイズには種々のものがあるので、全てのページサイズに合わせてトンボマークのラスターデータを保持することは困難である。
【０００８】
本発明は、上記従来の課題に鑑みなされたものであり、その目的は、簡易な構成で種々のページサイズに応じて適切な色のトンボマーク、カラーパッチ等の文書の付加情報を付加できる画像処理装置、画像処理方法及び画像処理プログラムを提供することにある。
【課題を解決するための手段】
【０００９】
上記目的を達成するために、本発明は、トンボマーク、カラーパッチ等の文書の付加情報を画像データに付加する画像処理装置であって、前記画像データを、裁ち切り線の内外の領域に分割する領域分割手段と、前記画像データを分版出力する際に、前記裁ち切り線外領域の所定位置に、付加情報を選択的に形成する付加情報形成手段と、を備えることを特徴とする。
【００１０】
また、上記画像処理装置は、さらに前記裁ち切り線内領域の画像データの有無を判別する判別手段を備え、前記付加情報形成手段は、前記判別手段の判別結果に基づいて付加情報の色を決定することを特徴とする。
【００１１】
また、上記判別手段が前記裁ち切り線内領域に黒色のみの画像データが含まれていると判断した場合に、前記付加情報形成手段は、付加情報を黒色で形成することを特徴とする。
【００１２】
また、上記付加情報形成手段は、前記判別手段が判別した前記裁ち切り線内領域の画像データの色と同色の付加情報を形成することを特徴とする。
【００１３】
また、本発明は、トンボマーク、カラーパッチ等の文書の付加情報を画像データに付加する画像処理方法であって、前記画像データを、裁ち切り線の内外の領域に分割するステップと、前記画像データを分版出力する際に、前記裁ち切り線外領域の所定位置に、付加情報を選択的に形成するステップと、を備えることを特徴とする。
【００１４】
また、本発明は、トンボマーク、カラーパッチ等の文書の付加情報を画像データに付加する画像処理装置の制御用プログラムであって、前記画像データを、裁ち切り線の内外の領域に分割し、前記画像データを分版出力する際に、前記裁ち切り線外領域の所定位置に、付加情報を選択的に形成する処理をコンピュータに実行させることを特徴とする。
【発明を実施するための最良の形態】
【００１５】
以下、本発明を実施するための最良の形態（以下、実施形態という）を、図面に従って説明する。
【００１６】
図１には、本発明にかかる画像処理装置の一実施形態の構成のブロック図が示される。図１において、画像処理装置は、操作部１０、出力部１２、領域分割部１４、付加情報形成部１６、判別部１８、通信部２０、分版処理部２２及び記憶部２４を含んで構成されている。
【００１７】
操作部１０は、キーボード、マウス等のポインティングデバイス、タッチパネル、スキャナ等の入力装置を含み、ユーザが画像処理装置に各種データを入力するために使用する。
【００１８】
出力部１２は、例えば液晶ディスプレイ（ＬＣＤ）、発光ダイオード（ＬＥＤ）、プリンタ等で構成され、操作部１０等を介して入力された画像データ等の表示及びプリント出力を実行する。
【００１９】
領域分割部１４は、画像データを、裁ち切り線の内外の領域に分割する処理を実行する。この分割処理は、画像データのページサイズに応じて行われる。なお、ページサイズ毎の裁ち切り線の位置等のデータは、予め記憶部２４に格納しておき、領域分割部１４はこれらのデータを使用して上記分割処理を実行するように構成される。ここで、裁ち切り線とは、印刷後の文書を所定のページサイズに断裁する際の切断線を言う。この裁ち切り線は、通常印刷出力されず、潜在的に規定されている。
【００２０】
付加情報形成部１６は、上記裁ち切り線の外側領域の所定位置に、付加情報としてのトンボマーク、カラーパッチ等を形成する処理を実行する。この付加情報の形成処理は、画像データをＣＭＹＫに分版出力する際に、所定の版に選択的に実行される。付加情報を形成する版の選択は、後述する判別部１８の判別結果に基づいて行われる。
【００２１】
判別部１８は、上記裁ち切り線の内側領域の画像データの有無を判別する処理を実行する。
【００２２】
通信部２０は、公知の方法により通信ネットワーク等を介してサーバあるいは他の端末等と通信し、画像データその他のデータをやり取りする。
【００２３】
分版処理部２２は、操作部１０または通信部２０を介して画像処理装置に入力された画像データを、ＣＭＹＫの各版に分版する処理を実行する。なお、入力された画像データが予め分版されている場合は、分版処理部２２は不要となる。
【００２４】
記憶部２４は、例えばＣＰＵの作業用のＲＡＭ、不揮発性メモリとしてのフラッシュメモリ、磁気記憶媒体等で構成されており、画像データ等のデータ及びプログラムが記憶される。
【００２５】
なお、上述した画像処理装置は、ＣＰＵを中心として構成されたコンピュータであってよく、この場合、ハードディスクその他の媒体に格納されたプログラムをＣＰＵが実行することで画像処理装置の各機能が実現される。
【００２６】
図２には、トンボマーク、カラーパッチ等の付加情報が描画された画像データの例が示される。図２において、画像データ２６にはページサイズに応じて裁ち切り線２８が潜在的に形成されている。また、この裁ち切り線２８の位置を規定するためのトンボマーク３０も描画されている。さらに、カラー印刷時の色標準を表すカラーパッチ３２も描画されている。このような画像データ２６は、白黒画像ではＫ版（白黒用の版）のみ形成され、カラー画像ではＫ版の他にＣ、Ｍ、Ｙの版も形成される。
【００２７】
図３には、本実施形態にかかる画像処理装置の動作例のフローが示される。図３において、他の端末から通信部２０を介して、または操作部１０のスキャナ等を介して本実施形態の画像処理装置に画像データを入力し、ユーザが操作部１０を介してプリント出力指示等を入力すると、分版処理部２２が画像データをＣＭＹＫの各版に分版し、領域分割部１４が分版された各画像データを取得する（Ｓ１）。なお、入力された画像データが予め分版されている場合には、分版処理部２２の処理は不要であり、分版されている各画像につきＣ、Ｍ、Ｙ、Ｋへの割り当てを行う。
【００２８】
次に、領域分割部１４が、取得した各版の画像データについて、図２に示されるような裁ち切り線２８の内外の領域に分割する処理を行う（Ｓ２）。
【００２９】
判別部１８は、上記領域分割部１４が分割した、裁ち切り線２８の内側領域の画像データの有無を確認する（Ｓ３）。
【００３０】
判別部１８が、Ｋ版以外の版について、上記裁ち切り線２８の内側領域に画像データが無いと判別した場合には（Ｓ４）、付加情報形成部１６が、Ｋ版のみについて裁ち切り線２８の外側領域の所定位置に、付加情報としてＫ（黒色）のトンボマーク３０を形成する（Ｓ５）。これにより、トンボマーク３０が画像データ２６に描画される。なお、Ｃ、Ｍ、Ｙの版について、裁ち切り線２８の外側領域の所定位置に既にトンボマーク、カラーパッチ等の付加情報が描画されている場合には、付加情報形成部１６がこれらの付加情報を消去し、Ｋ版のみにトンボマーク３０を形成するように構成するのが好適である。
【００３１】
一方、Ｋ版以外の版について、判別部１８が上記裁ち切り線２８の内側領域に画像データが有ると判別した場合には（Ｓ４）、付加情報形成部１６が、Ｋ版の他にＣ、Ｍ、Ｙの版についても裁ち切り線２８の外側領域の所定位置に付加情報としてＫ（黒色）のトンボマーク３０を形成する（Ｓ６）。また、この場合、画像データ２２がカラー画像であるので、付加情報形成部１６が、各版について、裁ち切り線２８の外側領域の所定位置に付加情報としてそれぞれの版に対応する色（ＣＭＹ）のカラーパッチ３２を形成する（Ｓ７）。
【００３２】
以上のＳ３〜Ｓ７のステップにおいて、各版の上記裁ち切り線２８の外側領域の所定位置に、付加情報が選択的に形成される。
【００３３】
なお、上記トンボマーク３０、カラーパッチ３２等の付加情報の図形データは、予め記憶部２４に格納しておく。
【００３４】
上記Ｓ５またはＳ７のステップの後、出力部１２から付加情報が描画された各版の画像をプリント出力する（Ｓ８）。これにより、画像データが分版出力される。
【００３５】
図４には、本実施形態にかかる画像処理装置の他の動作例のフローが示される。図４において、他の端末から通信部２０を介して、または操作部１０のスキャナ等を介して本実施形態の画像処理装置に画像データを入力し、ユーザが操作部１０を介してプリント出力指示等を入力すると、分版処理部２２が画像データをＣＭＹＫの各版に分版し、領域分割部１４が分版された各画像データを取得する（Ｓ１１）。なお、入力された画像データが予め分版されている場合には、分版処理部２２の処理は不要である。
【００３６】
次に、領域分割部１４が、所得した各版の画像データについて、図２に示されるような裁ち切り線２８の内外の領域に分割する（Ｓ１２）。
【００３７】
判別部１８は、上記領域分割部１４が分割した、裁ち切り線２８の内側領域の画像データの有無を確認する（Ｓ１３）。
【００３８】
判別部１８が、Ｋ版以外の版について、上記裁ち切り線２８の内側領域に画像データが無いと判別した場合には（Ｓ１４）、付加情報形成部１６が、Ｋ版のみについて裁ち切り線２８の外側領域の所定位置に、付加情報としてＫ（黒色）のトンボマーク３０を形成する（Ｓ１５）。これにより、トンボマーク３０が画像データ２６に描画される。
【００３９】
一方、Ｋ版以外の版について、判別部１８が上記裁ち切り線２８の内側領域に画像データが有ると判別した場合には（Ｓ１４）、さらに判別部１８は、Ｃ版について、裁ち切り線２８の内側領域の画像データの有無を確認する。このとき、判別部１８が上記裁ち切り線２８の内側領域に画像データが有ると判別した場合には（Ｓ１６）、Ｃ版について、裁ち切り線２８の外側領域の所定位置に、付加情報としてＣ（シアン）のトンボマーク３０を形成する（Ｓ１７）。これにより、トンボマーク３０がＣ版の画像データ２６に描画される。
【００４０】
次に、判別部１８は、Ｍ版について、裁ち切り線２８の内側領域の画像データの有無を確認する。このとき、判別部１８が上記裁ち切り線２８の内側領域に画像データが有ると判別した場合には（Ｓ１８）、Ｍ版について、裁ち切り線２８の外側領域の所定位置に、付加情報としてＭ（マゼンタ）のトンボマーク３０を形成する（Ｓ１９）。これにより、トンボマーク３０がＭ版の画像データ２６に描画される。
【００４１】
次に、判別部１８は、Ｙ版について、裁ち切り線２８の内側領域の画像データの有無を確認する。このとき、判別部１８が上記裁ち切り線２８の内側領域に画像データが有ると判別した場合には（Ｓ２０）、Ｙ版について、裁ち切り線２８の外側領域の所定位置に、付加情報としてＹ（イエロウ）のトンボマーク３０を形成する（Ｓ２１）。これにより、トンボマーク３０がＹ版の画像データ２６に描画される。
【００４２】
また、ＣＭＹの版について、裁ち切り線２８の内側領域に画像データがある場合、画像データ２２がカラー画像であるので、付加情報形成部１６が裁ち切り線２８の外側領域の所定位置に付加情報としてそれぞれ対応する色（ＣＭＹ）のカラーパッチ３２を形成する（Ｓ２２）。
【００４３】
以上のＳ１３〜Ｓ２２のステップにおいて、各版の上記裁ち切り線２８の外側領域の所定位置に、付加情報が選択的に形成される。
【００４４】
なお、上記トンボマーク３０、カラーパッチ３２等の付加情報の図形データは、予め記憶部２４に格納しておく。
【００４５】
上記Ｓ１５またはＳ２２のステップの後、出力部１２から付加情報が描画された各版の画像をプリント出力する（Ｓ２３）。これにより、画像データが分版出力される。
【００４６】
以上の各ステップの動作により、ラスタライズ後の白黒判定等の煩雑な動作を経ずに、簡易な構成で種々のページサイズに応じて適切な色のトンボマーク、カラーパッチ等の文書の付加情報を付加することができる。
【図面の簡単な説明】
【００４７】
【図１】本発明にかかる画像処理装置の一実施形態の構成のブロック図である。
【図２】付加情報が描画された画像データの例を示す図である。
【図３】図１に示された画像処理装置の動作例のフロー図である。
【図４】図１に示された画像処理装置の他の動作例のフロー図である。
【符号の説明】
【００４８】
１０  操作部、１２  出力部、１４  領域分割部、１６  付加情報形成部、１８  判別部、２０  通信部、２２  、２４  記憶部、２６  画像データ、２８  裁ち切り線、３０  トンボマーク、３２  カラーパッチ。
【図１】
2006352802.tif 000003
【図２】
2006352802.tif 000004
【図３】
2006352802.tif 000005
【図４】
2006352802.tif 000006